(57)【要約】【課題】簡素な構造をもって、ホワイトボードなどの被吸着体に吸着させる前と後とで、マグネット具の様子が異なるようにする。【解決手段】ケース１内に上下動可能に少なくとも一部を納められる非磁性材からなる可動体２と、可動体２に保持されると共に、ケース１の内部であってその添装吸着面１１側に形成された受け面１７ａに接して移動される磁石３とを有している。ケース１には、可動体２の一部を外部から視認可能にした開放部１６ｄが形成されている。前記受け面１７ａは、上方に向かうに連れて後方に近づく向きに傾斜している。【選択図】図４
2006175710.tif 000002
【特許請求の範囲】
【請求項１】
裏面をホワイトボードなどの被吸着体への添装吸着面とした非磁性材からなるケースと、
ケース内に上下動可能に少なくとも一部を納められる非磁性材からなる可動体と、
可動体に保持されると共に、ケースの内部であってその添装吸着面側に形成された受け面に接して移動される磁石とを有しており、
前記ケースには、可動体の一部を外部から視認可能に、若しくは、可動体の一部を突き出させるようにした開放部が形成されているか、又は、前記ケースの少なくとも一部が可動体の少なくとも一部を外部から視認可能とする透明若しくは透光性を備えるようにしていると共に、
前記受け面は、上方に向かうに連れて後方に近づく向きに傾斜していることを特徴とするマグネット具。
【発明の詳細な説明】
【技術分野】
【０００１】
この発明は、内蔵された磁石の磁気吸着力によって、ホワイトボードなどの被吸着体に吸着されて用いられるマグネット具の改良に関する。
【背景技術】
【０００２】
ホワイトボードなどにメモ用紙などを留め付けるために用いられるマグネットホルダー（通常単純にマグネットと称される。）として特許文献１に示されるものなどがある。こうしたマグネットの中には、意匠性ないしは趣味性を高めるように、磁石を保持する本体に様々な造形を施したものがある。ここで、こうしたマグネットにおいてホワイトボードに吸着させる前と後とでその様子が異なるようにできれば、こうした意匠性ないしは趣味性を一層向上させることができる。
【特許文献１】特開２０００−１９０６７１号公報
【発明の開示】
【発明が解決しようとする課題】
【０００３】
この発明が解決しようとする主たる問題点は、簡素な構造をもって、ホワイトボードなどの被吸着体に吸着させる前と後とで、マグネット具の様子が異なるようにする点にある。
【課題を解決するための手段】
【０００４】
前記問題点を解決するために、この発明にあっては、マグネット具を以下の（１）〜（５）の構成を備えたものとした。
（１）裏面をホワイトボードなどの被吸着体への添装吸着面とした非磁性材からなるケースと、
（２）ケース内に上下動可能に少なくとも一部を納められる非磁性材からなる可動体と、
（３）可動体に保持されると共に、ケースの内部であってその添装吸着面側に形成された受け面に接して移動される磁石とを有しており、
（４）前記ケースには、可動体の一部を外部から視認可能に、若しくは、可動体の一部を突き出させるようにした開放部が形成されているか、又は、前記ケースの少なくとも一部が可動体の少なくとも一部を外部から視認可能とする透明若しくは透光性を備えるようにしていると共に、
（５）前記受け面は、上方に向かうに連れて後方に近づく向きに傾斜している。
【０００５】
ケースの添装吸着面を被吸着体に吸着させない状態では、受け面の下側に磁石は自重により位置され、したがって、この磁石を保持する可動体も下降位置に位置される。一方、この可動体を下降位置に置く状態からケースの添装吸着面を被吸着体に接しさせると磁石の磁力によりこの添装吸着面が被吸着体に密着・留め付けられるが、受け面により上方に向かうに連れて磁石と被吸着体との間のピッチを狭くできることから磁石は受け面を上方に向けて移動され、この磁石の移動によって可動体も上昇される。これにより、ケースの開放部を通じてそれまで外部から見えなかった可動体が見えるようにできたり、あるいは、外部から見える可動体の箇所を異ならせるようにできたり、ケースの少なくとも一部が透明又は透光性を有する場合には外部から透けて見える可動体のケース内における位置を変化させることができ、被吸着体への吸着時のマグネット具の意匠に変化を与えることができる。また、ケースに形成された開放部から可動体の一部が突き出すようにしておけば、被吸着体へのマグネット具の吸着によってこの突き出された一部を移動させるようにすることができる。
【発明の効果】
【０００６】
この発明にかかるマグネット具にあっては、ホワイトボードなどの被吸着体に吸着させることで受け面の上方に磁石を移動させて可動体を移動させ、この可動体の移動により、ケースの開放部を通じて、被吸着体への吸着前と後とで、マグネット具の様子が異なるようにすることができる。
【発明を実施するための最良の形態】
【０００７】
以下、図１ないし図５に基づいて、この発明を実施するための最良の形態について説明する。
【０００８】
なお、ここで図１ないし図５は、マグネット具Ｍの一適用例を示したものであって、特に図１および図３は、被吸着体Ｐに吸着させていないときのマグネット具Ｍの様子を、また、図２および図４は、被吸着体Ｐに吸着させたときのマグネット具Ｍの様子、図５は、マグネット具Ｍを構成する各部品を分離させた状態として、それぞれ示している。
【０００９】
この実施の形態にかかるマグネット具Ｍは、内蔵された磁石３の磁気吸着力によって、ホワイトボードなどの被吸着体Ｐに吸着されて用いられるものである。
【００１０】
典型的には、かかるマグネット具Ｍは、ホワイトボードや磁石の吸着可能な黒板の筆記面や、スチールキャビネットや冷蔵庫などの外面に、これらの面との間にメモ用紙などの各種の用紙を挟んだ状態で吸着されて、これらの面にこれらの用紙を留め付けるように用いられ得るものである。
【００１１】
また、かかるマグネット具Ｍは、このマグネット具Ｍにクリップやフックなどを備えさせて、マグネット具Ｍの吸着される前記スチールキャビネットなどの外面に、このように備えられるクリップなどを利用して他の物品を留め付けたり、ぶら下げたりするようにも用いられ得るものである。
【００１２】
また、かかるマグネット具Ｍは、このマグネット具Ｍ自体の外形を、キャラクターや動植物などの形にして、マグネット具Ｍの吸着される前記スチールキャビネットなどの外面を華やかにしたり、子供などの玩具となるようにも用いられ得るものである。
【００１３】
かかるマグネット具Ｍは、ケース１と、可動体２と、磁石３とを備えている。
【００１４】
ケース１は、プラスチックや木材などの非磁性材から構成されていると共に、その裏面１０をホワイトボードなどの被吸着体Ｐへの添装吸着面１１としている。
【００１５】
図示の例では、かかるケース１は、表面１２と裏面１０、天面１３と底面１４、および左右側面１５、１５を備えた直方体状をなすように構成されている。より具体的には、図示の例にあっては、かかるケース１は、上下方向に長い略長方形の板状をなすように構成された表板部１６ａの四辺に立ち上がり板部１６ｂを備えたケース主体１６の背面開口を、ケース主体１６内に可動体２と磁石３とを納めさせた状態で、このケース主体１６の立ち上がり板部１６ｂにおける上下内面間に密に納まる長さと左右内面間に密に納まる幅とを備えた略長方形の板状をなす蓋体１７によって閉塞させるように、このケース主体１６の背面開口にかかる蓋体１７を嵌め付けさせることにより構成されている。この蓋体１７の外面が前記添装吸着面１１として機能されるようになっている。
【００１６】
一方、可動体２は、ケース１と同様にプラスチックや木材などの非磁性材から構成されていると共に、ケース１内に上下動可能に少なくとも一部を納められるように構成されている。
【００１７】
図示の例では、かかる可動体２は、ケース主体１６の立ち上がり板部１６ｂにおける左右内面間に納まる幅を有すると共に、この立ち上がり板部１６ｂにおける上下内面間の寸法の略半分の上下寸法を備えた板状をなすように構成されている。図示の例では、この可動体２の背面側にはこの可動体２の四隅に突出部２０が形成されており、可動体２はこの突出部２０を蓋体１７の内面に突き当て、かつ、その前面をケース主体１６の表板部１６ａの内面に接しさせるようにして、ケース１内に上下動可能に納められるようになっている。
【００１８】
また、磁石３は、可動体２に回転軸線ｘを横向きに配するようにして保持されると共に、ケース１の内部であってその添装吸着面１１側に形成された受け面１７ａに接して移動、図示の例では転動されるように構成されている。
【００１９】
図示の例にあっては、可動体２の背面側の略中央部に、後方に向けて突き出すように磁石３の保持部２１が形成されている。図示の例では、磁石３は、ネオジウム磁石３などからなる短寸の棒磁石３０となっている。磁石３の保持部２１は、この棒磁石３の長さ寸法と略等しい間隔を開けて形成された左右保持板２１ａ、２１ａと、この棒磁石３の直径と略等しい間隔を開けて形成された上下保持板２１ｂ、２１ｂとを有している。図示の例では、後述する受け面１７ａの傾斜に相応して上保持板２１ｂの突き出し寸法よりも下保持板２１ｂの突き出し寸法が小さく、かつ、左右保持板２１ａ、２１ａの突き出し寸法は下方に向かうに連れて小さくなるようにしてある。また、各保持板２１ａ、２１ｂの先端縁よりも後方に棒磁石３の外周面の一部３０ａが後方に突き出すように各保持板２１ａ、２１ｂの突き出し寸法が設定されている。
【００２０】
前記受け面１７ａは、上方に向かうに連れて後方に近づく向きに傾斜した面となっている。
【００２１】
図示の例にあっては、前記蓋体１７の内面であってその略中央部に前記受け面１７ａが形成されている。図示の例では、下端部１７ｃを蓋体１７の内面から突き出させると共に、上端部１７ｄを蓋体１７の内面の肉厚内に入り込ませるように形成された受け部分１７ｂの前側に向けられた面によって構成されている。また、図示の例では、受け部分１７ｂの上端部１７ｄにオーバーハング部１７ｅが形成されている。
【００２２】
そして、図示の例にあっては、可動体２は、受け部分１７ｂの下端部１７ｃに、棒磁石３を接しさせた下降位置（図１、図３）と、受け部分１７ｂの上端部１７ｄに棒磁石３を接しさせた上昇位置（図２、図４）との間で、移動されるようになっている。図示の例では、下降位置では、ケース主体１６の表板部１６ａの下部内面に形成された規制突部１６ｃが可動体２の下縁にあたってそれ以上の可動体２の下降が阻止され、かつ、上昇位置では、オーバーハング部１７ｅに棒磁石３が引っかかってそれ以上の可動体２の上昇が阻止されるようになっている。
【００２３】
そして、前記ケース１には、可動体２の一部を外部から視認可能にした開放部１６ｄが形成されている。
【００２４】
図示の例では、ケース主体１６の表板部１６ａの上部に左右に間隔を開けて二カ所の貫通孔１６ｅ、１６ｅが形成されていると共に、このケース主体１６の表板部１６ａの外面、つまり、ケース１の表面１２にはこの二カ所の貫通孔１６ｅ、１６ｅをアイホール１６ｆとするようにした顔の絵が描かれている。それと共に、可動体２の前面の上部には、可動体２の下降位置では前記貫通孔１６ｅを通じて外部からは視認できないが、可動体２の上昇位置ではこの貫通孔１６ｅを通じて外部から視認できる前記顔の目玉となる図形２２が描かれている。
【００２５】
図示の例とは異なって、ケース１に開放部１６ｄを設けずに、ケース１の全部又は一部が透明又は透光性を持ったプラスチックやガラスなどにより透明又は透光性を持つように構成させておくこともできる。また、このようにしながら、さらに、ケース１に開放部１６ｄを形成させておくこともできる。
【００２６】
ケース１の添装吸着面１１を被吸着体Ｐに吸着させない状態では、受け面１７ａの下側に磁石３は自重により位置され、したがって、この磁石３を保持する可動体２も下降位置に位置される。一方、この可動体２を下降位置に置く状態からケース１の添装吸着面１１を被吸着体Ｐに接しさせると磁石３の磁力によりこの添装吸着面１１が被吸着体Ｐに密着・留め付けられるが、受け面１７ａにより上方に向かうに連れて磁石３と被吸着体Ｐとの間のピッチを狭くできることから磁石３は受け面１７ａを上方に向けて移動され、この磁石３の移動によって可動体２も上昇される。これにより、ケース１の開放部１６ｄを通じてそれまで外部から見えなかった可動体２が見えるようにできたり、あるいは、外部から見える可動体２の箇所を異ならせるようにできたり、ケース１の少なくとも一部が透明又は透光性を有する場合には外部から透けて見える可動体２のケース１内における位置を変化させることができ、被吸着体Ｐへの吸着時のマグネット具Ｍの意匠に変化を与えることができる。
【００２７】
図示の例では、マグネット具Ｍを被吸着体Ｐに吸着させると、ケース主体１６の表板部１６ａの外面に描かれた顔におけるアイホール１６ｆに前記目玉となる図形２２が現れるようになっている。（図２）
【００２８】
図示の例とは異なって、ケース１に形成された開放部１６ｄから可動体２の一部が突き出すようにしておけば、被吸着体Ｐへのマグネット具Ｍの吸着によってこの突き出された一部を移動させるようにすることができる。
【図面の簡単な説明】
【００２９】
【図１】マグネット具Ｍの斜視構成図
【図２】マグネット具Ｍの斜視構成図（被吸着体Ｐへの吸着状態）
【図３】同断面構成図
【図４】同断面構成図（被吸着体Ｐへの吸着状態）
【図５】同分解斜視構成図
【符号の説明】
【００３０】
Ｐ  被吸着体
Ｍ  マグネット具
１  ケース
１０  裏面
１１  添装吸着面
２  可動体
３  磁石
【図１】
2006175710.tif 000003
【図２】
2006175710.tif 000004
【図３】
2006175710.tif 000005
【図４】
2006175710.tif 000006
【図５】
2006175710.tif 000007